(57)【要約】【課題】本体部の薄型化を図ることのできるカード用コネクタを提供する。【解決手段】カード５０を収納する収納部１１を備えた略箱状の本体部１、２と、本体部に納められ収納部に装着されたカードを排出する排出機構とを備え、排出機構はカードの挿入排出方向にスライド自在なスライド部材４と、スライド部材をカードの装着位置においてロックするロック機構６とからなり、ロック機構はカードの挿入排出方向に延びるように形成されるカム溝９と、カム溝に一端部が係合しスライド部材のスライドに伴ってカム溝内を摺動するカムレバー７とからなり、カム溝はスライド部材及び本体部に亘って形成され、両側側壁をそれぞれ本体部の内側面により形成してなる。【選択図】図１
2008047467.tif 000002
【特許請求の範囲】
【請求項１】
カードを収納する収納部を内側に備えた略箱状の本体部と、該本体部に納められ前記収納部に装着されたカードを排出する排出機構とを備え、該排出機構は前記カードの挿入排出方向にスライド自在なスライド部材と、該スライド部材を前記カードの装着位置においてロックするロック機構とからなるカード用コネクタにおいて、
前記ロック機構は前記カードの挿入排出方向に延びるように構成されるカム溝と、該カム溝に一端部が係合し前記スライド部材のスライドに伴って前記カム溝内を摺動するカムレバーとからなり、前記カム溝は前記スライド部材及び前記本体部に亘って形成され、前記カム溝の側壁を前記本体部の内周面により形成したことを特徴とするカード用コネクタ。
【請求項２】
前記カム溝は前記本体部が側壁を構成している部分の幅が前記カムレバーの一端部の幅よりも狭く形成されていることを特徴とする請求項１記載のカード用コネクタ。
【請求項３】
前記スライド部は前記本体部に対して上下方向の自由度を有してスライド自在に保持されていることを特徴とする請求項２記載のカード用コネクタ。
【請求項４】
前記カム溝は前記カードの挿入時に前記カムレバーの一端部が摺動する挿入時ガイド部と、前記カードの排出時に前記カムレバーの一端部が摺動する排出時ガイド部とが上下二段に形成され、前記挿入時ガイド部の一方の側壁と前記排出時ガイド部の一方の側壁がそれぞれ前記本体部の内周上下面により形成されたことを特徴とする請求項１〜３のいずれか１項に記載のカード用コネクタ。
【発明の詳細な説明】
【技術分野】
【０００１】
本発明はメモリ等を搭載した小型カードを装着排出自在なカード用コネクタに関し、特にハウジングの薄型化を図ったカード用コネクタに関する。
【背景技術】
【０００２】
従来、携帯電話やデジタルカメラ等の小型電子機器において、メモリやＩＣなどを搭載した小型カードが外部記録メディアとして使用されており、この小型カードを装着及び排出自在として情報の読取り、書込み等を行うカード用コネクタが知られている。このようなカード用コネクタは、カードを収納可能な本体部と、本体部内に設けられカードを容易に排出するために排出機構とを有している。
【０００３】
また、排出機構は、カードの着脱方向にスライド自在なスライド部材と、スライド部材をカードの装着位置においてロックするロック機構とを有して構成される。カードを本体部内に挿入すると、カードはスライド部材を押圧してこれをスライドさせ、最深部までカードを挿入して手を離すと、スライド部材はロック機構によってそれよりも若干戻った位置でロックされ、カードを装着した状態となる。この状態でカードを再び最深部まで押圧すると、スライド部材のロック機構によるロックは解除され、スライド部材はバネによる付勢によってカードを外部に排出する。このようなカード用コネクタとしては、例えば特許文献１に挙げるようなものがある。
【特許文献１】特開２００４−９５４４９号公報
【発明の開示】
【発明が解決しようとする課題】
【０００４】
スライド部材をロックするロック機構は、スライド部材の側面に形成されるカム溝と、カム溝に係合しスライド部材のスライドに伴いカム溝に沿って摺動するカムレバーとから構成される。カム溝はカードの挿入時と排出時でカムレバーが摺動する経路が異なるように、一部をループ状に形成してあり、その部分については上下二段に形成されている。カム溝はスライド部材の側面に形成されるために、これによってスライド部材の厚みが大きくなり、本体部の薄型化を阻害するという問題点を有していた。
【０００５】
本発明は上記課題を鑑みてなされたものであり、本体部の薄型化を図ることのできるカード用コネクタを提供することを目的とする。
【課題を解決するための手段】
【０００６】
上記課題を解決するため、本発明に係るカード用コネクタは、カードを収納する収納部を内側に備えた略箱状の本体部と、該本体部に納められ前記収納部に装着されたカードを排出する排出機構とを備え、該排出機構は前記カードの挿入排出方向にスライド自在なスライド部材と、該スライド部材を前記カードの装着位置においてロックするロック機構とからなるカード用コネクタにおいて、
前記ロック機構は前記カードの挿入排出方向に延びるように構成されるカム溝と、該カム溝に一端部が係合し前記スライド部材のスライドに伴って前記カム溝内を摺動するカムレバーとからなり、前記カム溝は前記スライド部材及び前記本体部に亘って形成され、前記カム溝の側壁を前記本体部の内周面により形成したことを特徴として構成されている。
【０００７】
また、本発明に係るカード用コネクタは、前記カム溝は前記本体部が側壁を構成している部分の幅が前記カムレバーの一端部の幅よりも狭く形成されていることを特徴として構成されている。
【０００８】
さらに、本発明に係るカード用コネクタは、前記スライド部は前記本体部に対して上下方向の自由度を有してスライド自在に保持されていることを特徴として構成されている。
【０００９】
さらにまた、本発明に係るカード用コネクタは、前記カム溝は前記カードの挿入時に前記カムレバーの一端部が摺動する挿入時ガイド部と、前記カードの排出時に前記カムレバーの一端部が摺動する排出時ガイド部とが上下二段に形成され、前記挿入時ガイド部の一方の側壁と前記排出時ガイド部の一方の側壁がそれぞれ前記本体部の内周上下面により形成されたことを特徴として構成されている。
【発明の効果】
【００１０】
本発明に係るカード用コネクタによれば、ロック機構はカードの挿入排出方向に延びるように構成されるカム溝と、カム溝に一端部が係合しスライド部材のスライドに伴ってカム溝内を摺動するカムレバーとからなり、カム溝はスライド部材及び本体部に亘って形成され、カム溝の側壁を本体部の内周面により形成したことにより、スライド部材の厚みを減らすことができるので、カード用コネクタ全体の薄型化を図ることができる。
【００１１】
また、本発明に係るカード用コネクタによれば、カム溝は本体部が側壁を構成している部分の幅がカムレバーの一端部の幅よりも狭く形成されていることにより、本体部をさらに薄型化することができる。
【００１２】
さらに、本発明に係るカード用コネクタによれば、スライド部は本体部に対して上下方向の自由度を有してスライド自在に保持されていることにより、カム溝の幅をカムレバーの一端部の幅よりも狭く形成していても、カムレバーの動作に伴ってスライド部が上下方向に移動できて、それによってカム溝の幅を確保することができるので、カムレバーはカム溝を確実に摺動することができる。
【００１３】
さらにまた、本発明に係るカード用コネクタによれば、カム溝は挿入時経路と排出時経路とが上下二段に形成され、挿入時経路の一方の側壁と排出時経路の一方の側壁がそれぞれ本体部の内周上下面により形成されたことにより、スライド部材の上下方向の寸法を薄くすることができ、カード用コネクタ全体の薄型化をさらに図ることができる。
【発明を実施するための最良の形態】
【００１４】
本発明の実施形態について、図面に沿って詳細に説明する。図１には本実施形態におけるカード用コネクタの斜視図を示している。この図に示すように、本実施形態におけるカード用コネクタは、薄い箱状のハウジング１と、その上面を覆うように設けられるカバー体２とによって本体部を形成し、ハウジング１の一側面には挿入口１０が形成されて、この挿入口１０からカード５０を挿入排出自在としてなるものである。なお、図１はカード５０をハウジング１内に挿入しロックされた状態を示している。
【００１５】
ハウジング１には挿入口１０が形成された側面と直交する２つの側面にそれぞれ複数の係合突起１ａが形成されている。また、カバー体２はハウジング１の係合突起１ａが形成された２つの側面をそれぞれ覆う面を有しており、これらの面にそれぞれ係合突起１ａと係合する係合部２ａが対応して形成され、これらによってカバー体２はハウジング１に対して固定されている。
【００１６】
図２には、カード５０がロックされた状態におけるカバー体２を取り外したカード用コネクタの平面図を示している。この図に示すように、ハウジング１には、カード５０を収納可能なカード収納部１１が形成されると共に、それに隣接してスライド部材４等を納めるスライド部材収納部１２が形成されている。カード収納部１１の底面には、カード５０に設けられる端子（図示しない）と接触、導通して信号のやり取りをなす端子部３が設けられている。
【００１７】
スライド部材収納部１２には、ハウジング１内をカード５０の挿入排出方向にスライド自在なスライド部材４と、スライド部材４をカード５０の排出方向に付勢するコイルバネからなる付勢部材５とが設けられ、さらにカード５０を図２の状態でロックするロック機構６が設けられる。ロック機構６は、スライド部材４の側面及び本体部の内周面であるハウジング１の底面及びカバー体の下面に亘って形成されるカム溝９と、カム溝９内に摺動自在に係合するカムレバー７とから構成される。また、スライド部材４は、ハウジング１内において上下方向には規制されておらず、ハウジング１の底面とカバー体２の下面との間で上下方向に自由度を有するように保持されている。
【００１８】
カムレバー７は、棒状の部材が折り曲げ形成されてなり、中央の基部３０がカード５０の挿入排出方向を向くように、かつハウジング１内においてスライド部材４とは並列状となるように配置され、基部３０の両端部が略直角状に折り曲げられてそれぞれ第１脚部３１及び第２脚部３２を構成している。第１脚部３１は端部がカム溝９に挿入されてこれに係合し、摺動自在とされている。一方、第２脚部３２は端部が付勢部材５の端部に押圧付勢されている。
【００１９】
カード５０の側面には凹部５１が形成され、スライド部材４には先端内側面に凸状の係合部２１が形成されて、係合部２１がカード５０の凹部５１に係合する。また、スライド部材４の奥端部には、カード収納部１１側に向かって突出するカード当接部２０が形成されており、これがカード５０の奥側内面に当接する。これらによって、カード５０を挿入する際には、スライド部材４はカード５０の挿入と共にハウジング１の奥側にスライドされ、カード５０を排出する際には、付勢部材５によってカード５０の排出方向にスライドするスライド部材４と共にカード５０が排出方向にスライドされる。
【００２０】
さらに、スライド部材収納部１２にはスライド部材４よりもカード５０の排出方向に、スライド付勢部材８が配置されている。スライド付勢部材８は板バネを折り曲げ加工して形成されており、スライド部材４がカード５０の排出に伴ってスライドした際に、それをカード５０の挿入方向に押圧し、スライド部材４を停止させると共に、カード５０の飛び出しを防止するものである。その詳細については後述する。
【００２１】
図３には、図２におけるカムレバー７の一端部付近の拡大図を示している。この図に示すように、ハウジング１内に形成されるスライド部材収納部１２の内周面には、カムレバー７を第２脚部３２の折り曲げ部分両側近傍でそれぞれ保持する第１の揺動支点１３と第２の揺動支点１４とが形成されている。カムレバー７はこれら第１の揺動支点１３と第２の揺動支点１４に保持されると共に、第２脚部３２の端部は付勢部材５の端部のうち径方向略半分の領域に当接し、ハウジング１の内周面側に付勢されている。第２脚部３２の端部を付勢部材５の端部の径方向略全長に渡って当接するようにすることもできるが、この場合には付勢部材５を構成するコイルバネの端部が、周方向どの位置にあるかによって、付勢部材５と第２脚部３２の接触状態が不安定となることがあるので、図３に示すように構成した方が好ましい。
【００２２】
カムレバー７は、第２脚部３２が付勢部材５の端部によってハウジング１の奥側内面側に向かって押圧付勢され、また第２脚部３２の折り曲げ部分付近で第１の揺動支点１３と第２の揺動支点１４に支持されていることにより、第１脚部３１はカム溝９の内側に向かって付勢された状態となる。これによってカムレバー７はスライド部材４のスライドに伴ってカム溝９内を摺動しても、カム溝９に対する係合状態を維持することができる。
【００２３】
また、カムレバー７の第２脚部３２の付勢部材５による押圧については、別の態様を採ることもできる。図４には、付勢部材５によるカムレバー７の押圧の別の形態について示した拡大図を示している。この図に示すように、第２脚部３２の端部近傍を略Ｌ字状に折り曲げ形成し、折り曲げられた端部は付勢部材５の端部から内側に向かって挿入される。このように第２脚部３２の端部を付勢部材５の端部から挿入するようにしたことで、組立時において付勢部材５とカムレバー７とを固定した状態としておくことができ、組立性を向上させることができる。
【００２４】
図５は、スライド部材４の斜視図である。スライド部材４はこの図において右側がカード５０の挿入側、左側がカード５０の排出側である。図５に示すように、スライド部材４の側面にはカム溝９を構成するカム溝構成部２３が凹状に形成されている。カム溝構成部２３は、スライド部材４がスライドするのに伴ってカムレバー７の摺動をガイドする側壁を有しており、カード５０の挿入時と排出時で異なる経路を有するように形成されている。スライド部材４の下側には、カード５０が挿入時にカムレバー７が摺動する挿入時ガイド部２３ｂが形成され、スライド部材４の上側には、カード５０が排出時にカムレバー７が摺動する排出時ガイド部２３ｃが形成され、さらに上下二段の挿入時ガイド部２３ｂと排出時ガイド部２３ｃの間には、カムレバー７をロック状態とする係止部２３ａが形成されている。また、挿入時ガイド部２３ｂと排出時ガイド部２３ｃは、カード５０の挿入側において合流し、さらにその挿入側にはガイド部２３ｄが形成されている。
【００２５】
ここでカム溝構成部２３は、挿入時ガイド部２３ｂはカム溝９の上側の側壁を、排出時ガイド部２３ｃはカム溝９の下側の側壁を、ガイド部２３ｄはカム溝９の上側の側壁を、それぞれ有している。一方で挿入時ガイド部２３ｂに対応するカム溝９の下側の側壁と、排出時ガイド部２３ｃに対応するカム溝９の上側の側壁と、ガイド部２３ｄに対応するカム溝９の下側の側壁は、ハウジング１の底面及びカバー体２の下面によって構成される。
【００２６】
図６は、カード５０がロックされた状態におけるカード５０とスライド部材４及びロック機構６を示した斜視図である。この図に示すように、カムレバー７は第１脚部３１がカム溝９内に側方から挿入され係合している。また、カード５０のロック状態においては、カムレバー７はカム溝構成部２３に形成された係止部２３ａに係止されてスライド部材４がスライドしないように保持している。
【００２７】
図７には、カード５０の取り出し可能状態におけるカバー体２を取り外したカード用コネクタの平面図を示している。この図に示すように、カード５０の取り外し可能状態においては、カード５０は図２に示す状態よりもカード収納部１１から外部側にスライドした位置にあり、スライド部材４もカード５０の排出側にスライドした状態となっている。
【００２８】
この状態において、スライド部材４は係合部２１がカード５０の凹部５１に係合していると共に、係合部２１と対向する反対側に設けられた押圧部２２が、スライド付勢部材８によってカード５０の凹部５１側方向とカード挿入方向の二方向に向かって付勢されている。
【００２９】
スライド付勢部材８は、ハウジング１の内周面に当接する側面当接部４０と、側面当接部４０から略Ｕ字状に折り返されてスライド部材４側に向かって傾斜状に延びるバネ部４１とからなり、バネ部４１の先端部はさらに折り曲げられて傾斜面部４２ａと先端面部４２ｂとを有した段差部４２として形成されている。
【００３０】
一方、スライド部材４の押圧部２２は、スライド付勢部材８の段差部４２に略適合する形状に形成される。これによって、スライド部材４がカード５０の排出可能位置までスライドすると、押圧部２２がスライド付勢部材８の段差部４２に押圧されて、図７の矢印で示す方向に押圧された状態となる。この押圧力は、カード５０の凹部５１側とカード挿入方向の二方向の分力を有しており、したがってスライド部材４は当該二方向に向かって付勢された状態となる。
【００３１】
また、ハウジング１の内周面には、スライド付勢部材８の折り曲げ部分近傍に内側に向かって突出するストッパ部１５が形成されており、スライド部材４にはストッパ部１５に対向するように当接面２４が形成されている。スライド部材４がスライド付勢部材８に押圧される位置においては、スライド部材４はストッパ部１５には当接しておらず、離隔した状態となっている。すなわち、スライド部材４が付勢部材５によってスライドし、カード５０を排出な可能な位置まで移動すると、スライド部材４はスライド付勢部材８に当接し、その押圧によってのみスライド動作が停止される。
【００３２】
このようにスライド部材４とスライド付勢部材８が構成されることにより、スライド部材４が付勢部材５の付勢によって排出方向にスライドすると、スライド部材４の当接面２４がハウジング１内周面のストッパ部１５に当接する前に、スライド部材４の押圧部２２がスライド付勢部材８に当接し、これによってそのスライド動作が停止されると共に、スライド付勢部材８によりスライド部材４はカード５０の凹部５１側のみならずカード５０の挿入方向にも付勢される。したがって、付勢部材５の付勢力により勢いよくスライドしたスライド部材４の急激な停止に伴う衝撃が、スライド付勢部材８によって緩和され、カード５０のスライドが停止することなくハウジング１からそのまま飛び出してしまうことを防止することができる。
【００３３】
次に、カード５０の排出及び挿入におけるロック機構６の動作について説明する。カード５０は、図２に示すロックされた状態からさらにハウジング１の最深部まで押圧されると、ロック機構６によるロックが解除されスライド部材４が排出方向にスライドするのに伴ってカード５０が排出方向にスライドされる。カード５０が排出可能位置までスライドすると、図７に示すようにスライド部材４がスライド付勢部材８によって停止され、カード５０のスライドも停止する。この状態からさらにカード５０を排出方向に引き出すことによって、スライド部材４とカード５０の係合状態は解除され、カード５０をハウジング１の外部に取り出すことができる。
【００３４】
カード５０の挿入時には、カード５０の挿入に伴ってスライド部材４がハウジング１の奥側にスライドし、カード５０をハウジング１の最深部まで差し込んで手を離すと、ロック機構６のカムレバー７がカム溝９の係止部２３ａに係止され、スライド部材４がロックされるのに伴ってカード５０もロックされた状態となる。これらの過程について、以下説明する。
【００３５】
図８には、カード５０がロックされた状態における側部断面図を示している。図６にも示したように、カード５０がロックされた状態においては、カムレバー７はスライド部材４のカム溝構成部２３に形成された係止部２３ａに係止されている。また、カバー体２にはカード５０の挿入方向端部近傍に、下方に向かって略Ｌ字状に折り曲げられた押圧片２ｂが形成されており、カムレバー７の第２脚部３２を上方から下方に向かって押圧している。これによってカムレバー７は基部３０及び第１脚部３１が上下方向に揺動自在とされている。
【００３６】
スライド部材４のカム溝構成部２３は、挿入時ガイド部２３ｂと排出時ガイド部２３ｃの部分において、カムレバー７の第１脚部３１の直径よりも狭い幅となるように形成されている。図８の状態では、スライド部材４の上面とカバー体２の下面との間に僅かな隙間が形成されており、排出時ガイド部２３ｃの部分において、カム溝９を構成するスライド部材４側の側壁とカバー体２側の側壁との間隔は、カムレバー７の第１脚部３１の直径と略同じ幅となるようにされている。
【００３７】
図９には、カード５０の排出時にカード５０が最深部まで押し込まれた状態における側部断面図を示している。この図に示すように、カード５０がロック状態から最深部まで手で押し込まれると、スライド部材４はそれに伴ってハウジング１の奥側にスライドし、カムレバー７は係止部２３ａにおける係止状態が解除され、上側に向かってカム溝９内を摺動する。この状態でカード５０を押し込む手を離すと、カムレバー７による係止が解除されたスライド部材４は、付勢部材５の付勢力によってカード５０の排出方向にスライドする。またそれに伴ってカード５０も排出方向にスライドされる。
【００３８】
スライド部材４がカード５０の排出方向にスライドすると、カムレバー７はカム溝９を図９の状態から上側の経路を通って摺動する。ここで、カム溝構成部２３の係止部２３ａ側には、図５に示すように係止部２３ａ側が高くなるような段部２３ｅが形成されているので、カムレバー７は確実にカム溝９の上側の経路を通って摺動することができる。また、前述のようにカムレバー７が係止部２３ａまたは上側の経路にあるときには、スライド部材４の上面とカバー体２の下面との間の隙間によって、その経路の幅がカムレバー７の第１脚部３１の直径と略同じとなっているため、円滑に摺動することができる。
【００３９】
図１０には、カード５０の取り出し可能状態における側部断面図を示している。この図は、図７に示す平面図の状態に対応するものである。図１０に示すように、スライド部材４がカード５０の排出方向に図９の状態からスライドすると、カムレバー７はカム溝９の上側の経路を通り、さらにガイド部２３ｄの部分を通ってその端部近傍に達する。前述のようにスライド部材４はスライド付勢部材８によってそのスライドが停止され、カード５０を引き出すことができる状態とされる。
【００４０】
図１１には、カード５０を図７に示す状態からさらに引き出した状態におけるカバー体２を取り外したカード用コネクタの平面図を示している。この図に示すように、図７に示す状態からカード５０を手で引き出すと、カード５０の凹部５１とスライド部材４の係合部２１との係合状態は解除され、カード５０の側面によってスライド部材４及びスライド付勢部材８をハウジング１の内周面側に押圧した状態でカード５０がスライドする。スライド部材４は、カード５０の引き出しに伴って若干スライドするが、当接面２４がハウジング１のストッパ部１５に当接することで、それ以上排出側にスライドすることはない。
【００４１】
図１２には、図１１の状態における側部断面図を示している。この図に示すように、カード５０の引き出しに伴ってスライド部材４が排出側に若干スライドすることにより、カムレバー７はガイド部２３ｄの端部まで摺動する。
【００４２】
図１３には、カード５０を挿入する際にカード５０を最深部まで押し込んだ状態における側部断面図を示している。この図に示すように、カード５０をカード収納部１１内に押し込むと、それに伴ってスライド部材４はハウジング１内を奥側に向かってスライドし、カムレバー７はカム溝９をガイド部２３ｄから下側の経路を通って摺動し、カード５０を最深部まで押し込むとその端部に到達する。この際、ガイド部２３ｄから挿入時ガイド部２３ｂ側に確実にカムレバー７が摺動するように、図５に示すようにガイド部２３ｄと排出時ガイド部２３ｃとの間には、排出時ガイド部２３ｃ側が高くなるような段部２３ｆが形成されている。
【００４３】
また、カムレバー７がカム溝９の下側の経路を摺動する場合には、カムレバー７によってスライド部材４が押し上げられるため、スライド部材４の下面とハウジング１の底面との間に隙間が形成される。これによって、カム溝９を構成するスライド部材４の側壁とハウジング１側の側壁との間には、カムレバー７の第１脚部３１の直径分だけの隙間が確保される。
【００４４】
カード５０を最深部まで押し込んだ上で手を離すと、スライド部材４は付勢部材５の付勢力によってカード５０の排出方向にスライドするが、図５に示すようにスライド部材４には、最も押し込んだ状態においてカムレバー７が係合する位置より挿入時ガイド部２３ｂ側が高くなるような段部２３ｇが形成されているため、カムレバー７は挿入時ガイド部２３ｂ側に戻ることなく、係止部２３ａ側に摺動し、これに係止されてスライド部材４をロックする。これによって再び図２及び図８の状態に戻ることになる。
【００４５】
このように、カム溝９をスライド部材４のカム溝構成部２３とハウジング１の底面及びカバー体２の下面によってその側壁を構成したことにより、スライド部材４に全ての側壁を形成する必要がないので、スライド部材４を薄型化することができ、それによってハウジング１とカバー体２からなる本体部の薄型化を図ることができる。
【００４６】
また、スライド部材４のカム溝構成部２３の幅を、カムレバー７の第１脚部３１の直径よりも小さく形成し、カムレバー７が通る経路に応じてカム溝９の幅が変化するように構成したことで、スライド部材４を更に薄くすることができ、さらなる薄型化を図ることができる。
【００４７】
以上、本発明の実施形態について説明したが、本発明の適用は本実施形態には限られず、その技術的思想の範囲内において様々に適用されうるものである。
【図面の簡単な説明】
【００４８】
【図１】本実施形態におけるカード用コネクタの斜視図である。
【図２】カードがロックされた状態におけるカバー体を取り外したカード用コネクタの平面図である。
【図３】カムレバーの一端部付近を示した拡大図である。
【図４】カムレバーの一端部の別の形態を示した拡大図である。
【図５】スライド部材の斜視図である。
【図６】カードがロックされた状態におけるカードとスライド部材及びロック機構の斜視図である。
【図７】カードの取り出し可能状態におけるカバー体を取り外したカード用コネクタの平面図である。
【図８】カードがロックされた状態における側部断面図である。
【図９】カード排出時に最深部まで押し込まれた状態における側部断面図である。
【図１０】カードの取り出し可能状態における側部断面図である。
【図１１】カードをカード用コネクタから引き出している状態におけるカバー体を取り外したカード用コネクタの平面図である。
【図１２】カードをカード用コネクタから引き出している状態における側部断面図である。
【図１３】カード挿入時に最深部まで押し込まれた状態における側部断面図である。
【符号の説明】
【００４９】
１    ハウジング
２    カバー体
３    端子部
４    スライド部材
５    付勢部材
６    ロック機構
７    カムレバー
８    スライド付勢部材
９    カム溝
１０    挿入口
１１    カード収納部
１２    スライド部材収納部
１３    第１の揺動支点
１４    第２の揺動支点
２０    カード当接部
２１    係合部
２２    押圧部
２３    カム溝構成部
２３ａ  係止部
２３ｂ  挿入時ガイド部
２３ｃ  排出時ガイド部
２３ｄ  ガイド部
３０    基部
３１    第１脚部
３２    第２脚部
４０    側面当接部
４１    バネ部
４２    段差部
５０    カード
５１    凹部
【図１】
2008047467.tif 000003
【図２】
2008047467.tif 000004
【図３】
2008047467.tif 000005
【図４】
2008047467.tif 000006
【図５】
2008047467.tif 000007
【図６】
2008047467.tif 000008
【図７】
2008047467.tif 000009
【図８】
2008047467.tif 000010
【図９】
2008047467.tif 000011
【図１０】
2008047467.tif 000012
【図１１】
2008047467.tif 000013
【図１２】
2008047467.tif 000014
【図１３】
2008047467.tif 000015